(57)【要約】      （修正有）【課題】生体内の体液、異物、排泄物を、生体組織を損傷させることなく、素早くきれいに洗浄する技術を提供する。【解決手段】気体と液体を混合して得られるマイクロバブル水を含む洗浄液で、生体内の体液、異物、又は排泄物を洗浄する。マイクロバブル水における気泡は、好ましくは、メジアン径が３０〜６０μｍであり、粒子径範囲が５〜２００μｍである。【選択図】図１
2014000160.tif 000002
【特許請求の範囲】
【請求項１】
気体と液体を混合して得られるマイクロバブル水を含む、生体内の体液、膿、壊死組織又は排泄物を洗浄するための洗浄液。
【請求項２】
前記体液が、血液を主成分とする、請求項１に記載の洗浄液。
【請求項３】
前記血液は、手術又は処置時に、患部部位周辺で発生する血液である、請求項２に記載の洗浄液。
【請求項４】
頭蓋内組織に固着したゼリー状血腫を頭蓋内組織から遊離させ、非ゼリー状に分解するための、請求項１に記載の洗浄液。
【請求項５】
腸管内に固着した排泄物を遊離し洗浄するための、請求項１に記載の洗浄液。
【請求項６】
マイクロバブル水における気泡のメジアン径が３０〜６０μｍである、請求項１〜５の何れかに記載の洗浄液。
【請求項７】
マイクロバブル水における気泡の粒子径が５〜２００μｍの範囲にある、請求項１〜６の何れかに記載の洗浄液。
【請求項８】
粒子径０．０５μｍ〜０．１μｍの範囲のナノバブルをさらに含む、請求項１〜７の何れかに記載の洗浄液。
【請求項９】
生体内の体液、異物、又は排泄物を洗浄する方法であって、気体と液体を混合して得られるマイクロバブル水を含む洗浄液を生体内に接触させることを特徴とする洗浄方法。
【請求項１０】
前記体液は、血液を主成分とする、請求項９に記載の洗浄方法。
【請求項１１】
前記血液は、手術又は処置時に、患部部位周辺で発生する血液である、請求項１０に記載の洗浄方法。
【請求項１２】
前記頭蓋内組織に固着したゼリー状血腫を頭蓋内組織から遊離させ、非ゼリー状に分解することを含む、請求項９に記載の洗浄方法。
【請求項１３】
前記腸管内に固着した排泄物を遊離することを含む、請求項９に記載の洗浄方法。
【請求項１４】
前記マイクロバブル水における気泡のメジアン径が３０〜６０μｍである、請求項９〜１３の何れかに記載の洗浄方法。
【請求項１５】
前記マイクロバブル水における気泡の粒子径が、５〜２００μｍの範囲にある、請求項９〜１４の何れかに記載の洗浄方法。
【請求項１６】
洗浄液が、粒子径０．０５μｍ〜０．１μｍの範囲のナノバブルをさらに含む、請求項９〜１５の何れかに記載の洗浄方法。
【発明の詳細な説明】
【技術分野】
【０００１】
本発明は、生体内の体液、異物、排泄物などの洗浄に使用する洗浄液、及び生体内の体液、異物、排泄物などの洗浄方法に関する。
【背景技術】
【０００２】
近年、微細気泡を含む液体による洗浄についての研究が進められ、様々な物体に対する洗浄方法が種々報告されている。
【０００３】
例えば、特許文献１には、ナノバブルの利用方法及びその発生装置に係る技術が開示されている。この特許文献１には、ナノバブルが有する浮力の減少、表面積の増加、表面活性の増大、局所高圧場の生成、静電分極の実現による界面活性作用、及び殺菌作用等の特性を活用したナノバルブの利用方法が記載されている。
【０００４】
具体的には、それらの特性や作用が相互に関連することによって、ナノバブルは各種物体に対して、汚れ成分の吸着効果（汚れ成分の剥離効果）、物体表面の高速洗浄効果、及び殺菌効果等を発揮する。これにより、各種物体を低環境負荷で洗浄することができ、汚濁水の浄化を行うことができる。また、生体へ適用して疲労回復等に利用できることが記載されている。
【０００５】
特許文献２には、液体中にナノバブルを発生させるナノバブル発生機と、ナノバブル発生機によって発生したナノバブルを含む流体を噴出するノズルと、を備えた肛門洗浄装置の技術が開示されている。ナノバブルは超微細なため、ナノバブルを含む液体を用いて肛門を洗浄した場合、ナノバブルが肛門より進入して直腸の部分まで侵入し、それらの部分の殺菌作用及び洗浄作用を発揮することが記載されている。
【０００６】
特許文献３には、マイクロバブル発生装置の循環路内に圧力調整槽を設け、大サイズの気泡を浮上分離させて槽内の上部空間に回収すると共に、この上部空間の気体を吸引してマイクロバブルとして液中に戻すためのマイクロバブル発生ノズルを圧力調整槽の上部に設置した技術が開示されている。
【先行技術文献】
【特許文献】
【０００７】
【特許文献１】特開２００４−１２１９６２号公報
【特許文献２】特開２００８−２９１５２１号公報
【特許文献３】特開２０１１−２０６６８９号公報
【発明の概要】
【発明が解決しようとする課題】
【０００８】
手術や治療において、患部や患部周辺に生じた体液や異物を取り除く必要が生じた場合、これを素早くきれいに取り除くことが望まれている。
【０００９】
ところで、特許文献１には、生鮮食品などの生体を洗浄することが、特許文献２には、肛門を洗浄することが記載されているが、体液や異物の除去に微細気泡を含む液体を用いて洗浄する技術を適用することについては一切記載されていない。
【００１０】
その理由は、極めてデリケートな生体組織を損傷させないための高度な工夫が種々必要となるからである。具体的には、生体組織を損傷させないように工夫すると共に、洗浄効果を高めて素早くきれいに洗浄可能な液体（洗浄液）が必要となる。
このような課題は、頭蓋内、腹腔内や体腔内、腸管内等の洗浄を要する、出血を伴う一般外科手術において、広く存在する。
【００１１】
そこで、本発明は、生体内の体液、異物、排泄物を、生体組織を損傷させることなく、素早くきれいに洗浄する技術を提供することを課題とする。
【課題を解決するための手段】
【００１２】
本発明者らは、生体内の体液、異物、排泄物を、生体組織を損傷させることなく、素早くきれいに洗浄する技術を求めて研究した結果、マイクロバブル水を含む洗浄液を用いることにより、体組織を損傷させることなく、素早くきれいに洗浄することができることを見出し、本発明を完成させた。
【００１３】
上記課題を解決する本発明は、気体と液体を混合して得られるマイクロバブル水を含む、生体内の体液、異物、又は排泄物を洗浄するための、洗浄液である。
マイクロバブル水を含む洗浄液を用いることにより、生体内の体液、異物、又は排泄物を、生体組織を損傷させることなく、素早くきれいに洗浄することが可能となる。
【００１４】
前記洗浄液は、血液を主成分とする体液の洗浄に好適である。特に、凝血塊の洗浄に好適である。
【００１５】
前記洗浄液は、手術又は処置時に、患部部位周辺で発生する血液の洗浄に好適である。
【００１６】
前記洗浄液は、頭蓋内組織に固着したゼリー状血腫を頭蓋内組織から遊離させ、非ゼリー状に分解するのに、特に好適である。
【００１７】
前記洗浄液は、腸管内に固着した排泄物を遊離するのに、特に好適である。
【００１８】
前記マイクロバブル水における気泡は、好ましくは、メジアン径が３０〜６０μｍであり、粒子径範囲が５〜２００μｍである。
このような粒度分布のマイクロバブル水を含む洗浄液を用いることにより、生体を傷つけることなく、生体内の体液、異物、又は排泄物を、極めて効率よく洗浄することができる。
【００１９】
また、上記課題を解決する本発明は、生体内の体液、異物、又は排泄物を洗浄する方法であって、マイクロバブル水を含む洗浄液を生体内に接触させることを含む。
【００２０】
前記方法は、血液を主成分とする体液の洗浄方法である。
【００２１】
前記方法は、手術又は処置時に、患部部位周辺で発生する血液の洗浄方法である。
【００２２】
前記方法は、頭蓋内組織に固着したゼリー状血腫を頭蓋内組織から遊離させ、非ゼリー状に分解することを含む。
【００２３】
前記方法は、腸管内に固着した排泄物を遊離することを含む。
【００２４】
前記方法に用いるマイクロバブル水における気泡のメジアン径は、好ましくは３０〜６０μｍである。また、実質的に全気泡の粒子径が、５〜２００μｍの範囲にあることが好ましい。
このような粒度分布のマイクロバブル水を含む洗浄液を用いることにより、生体を傷つけることなく、生体内の体液、異物、又は排泄物を、極めて効率よく洗浄することができる。
【発明の効果】
【００２５】
本発明によれば、生体組織を損傷させずに素早く、生体内の体液、異物、排泄物を洗浄することが可能となる。
具体的に、本発明は、外科手術において、頭蓋内、腹腔内や体腔内、腸管内等の洗浄を効率よく安全に行うことが可能となる。
【図面の簡単な説明】
【００２６】
【図１】実施例で生成したマイクロバブル生理食塩水の粒度分布を示す図である。
【図２】マイクロバブル生理食塩水を使用して、凝血部位を洗浄した結果を示す写真である。
【図３】通常の生理食塩水を使用して、凝血部位を洗浄した結果を示す写真である。
【発明を実施するための形態】
【００２７】
本発明において、「マイクロバブル水」は、粒度分布が、実質的に（例えば粒子の９５％以上が）マイクロオーダーである微細気泡を含む液体と定義する。すなわち、ナノオーダー（数ｎｍ〜数百ｎｍ）の微細気泡を主体とするナノバブル水と区別される概念である。
【００２８】
本発明に用いるマイクロバブル水の粒度分布の好ましい形態を述べる。
メジアン径（５０％粒子径）：好ましくは３０〜６０μｍ、より好ましくは３５〜５５μｍ、特に好ましくは４０〜５０μｍ
９０％粒子径：好ましくは  ５０〜８０μｍ、より好ましくは  ５５〜７５μｍ、特に好ましくは  ６０〜７０μｍ
１０％粒子径：好ましくは  １０〜４０μｍ、より好ましくは  １５〜３５μｍ、特に好ましくは  ２０〜３０μｍ
また、本発明に用いるマイクロバブル水は、実質的に全気泡の粒子径が５〜２００μｍの範囲にあることが好ましい。
【００２９】
本発明において、上述した粒子径は、レーザー回折法の測定原理を用いて測定した粒子径である。レーザー回折式粒度分布測定装置として、Sympatec社製 レーザー回折式粒度分布測定装置HELOS&RODOSを用いることができる。
【００３０】
上記のような粒度分布を有するマイクロバブル水を含む洗浄液を用いることにより、タンパク質等を含む体液を効率的に洗浄することができる。
【００３１】
本発明における洗浄液は、マイクロバブルを含むこと以外は、通常の生体内の洗浄に用い得る洗浄液と同様の成分を含んでいてよい。本発明における洗浄液は、好ましくはマイクロバブル生理食塩水からなる。
【００３２】
本発明の洗浄液は、気体と水を混合するポンプと、この混合水に含まれる気体をマイクロバブル化するオリフィスノズルを含む、マイクロバブル発生装置を用いて発生させることができる。
より具体的には、マイクロバブル発生装置のオリフィス型ノズルの径を調整することにより、粒子径を調整することが可能である。
また、複数のオリフィス型ノズルを通過させることにより、粒度分布を調整することが可能である。
【００３３】
また、マイクロバブル発生装置で発生させたバブル水を、吊り下げ式容器に貯留し、自重により自然落下させることにより、マイクロバブル水を低流量、低圧で洗浄チューブに送り込むことができる。
【００３４】
本発明の好ましい形態では、前記吊り下げ式容器は、洗浄対象（生体内の洗浄位置）よりも上方位置に配置され、その前記吊り下げ式容器から、マイクロバブル水の自然落下用洗浄チューブが延びている。
このように、洗浄対象よりも上方位置に配置した吊り下げ式容器から、マイクロバブル水の自然落下用チューブが延びている構成とした場合、マイクロバブル水の吐出圧を、容器の高さ位置を変えるだけで調整することが可能になる。これにより、マイクロバブル水の吐出圧を洗浄対象に適した吐出圧とすることができる。
【実施例】
【００３５】
生理食塩水を用いて、上述したマイクロバブル発生装置を用いてマイクロバブル水を生成した。
生成したマイクロバブル水の粒度分布を以下の方法により測定した。
上記マイクロバブル発生装置から発生したマイクロバブル水（白濁）を２５０ｍｌビーカー内に１分間供給した。
続いて、マイクロバブル水を測定容器（５０ｍｌ容）に写し、１５秒経過後に測定を開始した。測定時間は０．１秒／１回で、５０回（５秒間）測定した。測定には、Sympatec社製 レーザー回折式粒度分布測定装置HELOS&RODOSを用いた。
【００３６】
測定結果を図１に示す。
測定の結果、マイクロバブル水の気泡は、以下の粒子径を有していた。
メジアン径（５０％粒子径）：４２μｍ
９０％粒子径：６２μｍ
１０％粒子径：２２μｍ
また、このマイクロバブル水は、実質的に全気泡の粒子径が５〜２００μｍの範囲にあった。
【００３７】
上記で生成した生理食塩水を用いて、以下の洗浄試験を行った。
ブタの皮下内径動脈を露出させ一部を切開し出血させた後、数分後に切開部周辺に形成された凝血塊を、生理食塩水とマイクロバブル生理食塩水で洗浄した。
具体的には、上記マイクロバブル発生装置に洗浄チューブを接続し、生成したマイクロバブル生理食塩水でブタの生体内を洗浄した。また、比較例として、生理食塩水での洗浄を行った。
【００３８】
結果を図２、図３に示す。図２はマイクロバブル生理食塩水で洗浄した結果、図３は、生理食塩水で洗浄した結果を示す。
【００３９】
生理食塩水を使用した場合、凝血塊は洗浄により分解されずゼリー状のまま残った。この凝血塊の除去を行わなければ術野の視野確保は困難である。すなわち、生理食塩水の洗浄効果は高くない。
【００４０】
一方、マイクロバブル生理食塩水を使用した場合、凝血塊は洗浄により分解された。これにより術野の視野が生理食塩水を使用した場合に比べ確保された。すなわち、マイクロバブル生理食塩水の洗浄効果は非常に高いことが分かった。
【００４１】
一般に凝血は数分で始まるため、一般手術に於いては血液凝固は避けられない状況にあり、術野の視野確保の点からもマイクロバブル生理食塩水は、非常に有用であることが明らかとなった。
【００４２】
本実施例の結果から、硬膜外血腫等、頭蓋内の凝血塊の洗浄にも同様に非常に効果があると期待できる。
更に、長期間に渡り出血があり、膿、壊死組織、排泄物が固着している腸管内部の洗浄にも非常に効果があると期待できる。
【００４３】
また、マイクロバブル水は圧壊過程において、０．０５μｍ〜０．１μｍのナノバブルサイズの泡を発生する報告がある。本発明のマイクロバブル水を含む洗浄液は、このようなナノバブルを含んでいてもよい。このような洗浄液は、上記洗浄効果に加え、殺菌効果も期待できる。
【図１】
2014000160.tif 000003
【図２】
2014000160.tif 000004
【図３】
2014000160.tif 000005